(57)【要約】本発明は、弾性組成物からなる保護用ハンドグローブであって、指をあてはめるために適合される裏面に開口部を有する手袋を有し、前記手袋はスチレンブロックコポリマーとショアー硬度６以上を有する油からなることを特徴とする保護用ハンドグローブを提供する。【選択図】図１
2008537025.tif 000002
【特許請求の範囲】
【請求項１】
弾性組成物からなる保護用ハンドグローブであって、指をあてはめるために適合される裏面に開口部を有する手袋を有し、前記手袋はスチレンブロックコポリマーとショアー硬度６以上を有する油からなることを特徴とする保護用ハンドグローブ。
【請求項２】
前記組成物における前記油は７２ないし８８重量％および前記スチレンブロックコポリマーは１２ないし２８重量％である請求項１に記載の保護用ハンドグローブ。
【請求項３】
前記スチレンコポリマーは、ＳＢＳ（スチレンブタジエンスチレン）、ＳＩＳ（スチレン−イソプレン−スチレン）、ＳＥＰＳ（スチレンエチレン／プロピレンスチレン）、ＳＥＢＳ（スチレンエチレン／ブチレンスチレン）およびＳＥＥＰＳ（スチレンエチレン／エチレン−プロピレン−スチレン）からなる群より選択される請求項２に記載の保護用ハンドグローブ。
【請求項４】
前記油は、低粘度と高粘度の異なる粘度を有する少なくとも２つの異なる油の混合物であり、前記低粘度の油は前記高粘度の油に対して過剰に使用される請求項２に記載の保護用ハンドグローブ。
【請求項５】
前記油は、１または２以上の鉱油からなる群より選択され、前記鉱油は４０℃において粘度１ないし１２０ｃＰｓを有する請求項２に記載の保護用ハンドグローブ。
【請求項６】
ショアー硬度が１５以上である請求項１に記載の保護用ハンドグローブ。
【請求項７】
ショアー硬度が２０以上である請求項１に記載の保護用ハンドグローブ。
【請求項８】
ショアー硬度が３５以下である請求項１に記載の保護用ハンドグローブ。
【請求項９】
前記弾性体組成物に加えられた着色剤をさらに含む請求項１に記載の保護用ハンドグローブ。
【請求項１０】
弾性体組成物からなる指間接およびひざプロテクターであって、
手の指関節を覆うための適用される第１部、
手のひらの上部にあり前記第１部が手を確保するように適用される前記第１部に付着される第２部を含み、
前記第１部は、ショアー硬度が６以上であるスチレンブロックコポリマーと油かなる指間接およびひざプロテクター。
【請求項１１】
前記弾性体中の油は前記弾性体組成物中７２ないし８８重量％であり、前記スチレンブロックコポリマーは１２ないし２８重量％である請求項１０に記載の指間接およびひざプロテクター。
【請求項１２】
前記スチレンブロックコポリマーは、ＳＢＳ（スチレンブタジエンスチレン）、ＳＩＳ（スチレン−イソプレン−スチレン）、ＳＥＰＳ（スチレンエチレン／プロピレンスチレン）、ＳＥＢＳ（スチレンエチレン／ブチレンスチレン）およびＳＥＥＰＳ（スチレンエチレン／エチレン−プロピレン−スチレン）からなる群より選択される請求項１１に記載の指間接およびひざプロテクター。
【請求項１３】
前記油は、低粘度と高粘度の異なる粘度を有する少なくとも２つの異なる油の混合物であり、前記低粘度の油は前記高粘度の油に対して過剰に使用される請求項１１に記載の指間接およびひざプロテクター。
【請求項１４】
前記油は、１または２以上の鉱油からなる群より選択され、前記鉱油は４０℃において粘度１ないし１２０ｃＰｓを有する請求項１１に記載の指間接およびひざプロテクター。
【請求項１５】
ショアー硬度が１５以上である請求項１０に記載の指間接およびひざプロテクター。
【請求項１６】
ショアー硬度が２０以上である請求項１０に記載の指間接およびひざプロテクター。
【請求項１７】
ショアー硬度が３５以下である請求項１０に記載の指間接およびひざプロテクター。
【請求項１８】
前記弾性体組成物に加えられた着色剤をさらに含む請求項１０に記載の指間接およびひざプロテクター。
【請求項１９】
弾性組成物からなる足プロテクターであって、
足を覆うように適用されるモカシン、
前記モカシンは前記足の挿入に適用される開口部を有し、
前記モカシンは開口されたかかとまたは閉じたかかとから選択される裏部を有し、
前記モシカンはショアー硬度が６以上を有するスチレンブロックコポリマーと油からなる足プロテクター。
【請求項２０】
前記弾性体中の油は前記弾性体組成物中７２ないし８８重量％であり、前記スチレンブロックコポリマーは１２ないし２８重量％であり、前記スチレンブロックコポリマーは、ＳＢＳ（スチレンブタジエンスチレン）、ＳＩＳ（スチレン−イソプレン−スチレン）、ＳＥＰＳ（スチレンエチレン／プロピレンスチレン）、ＳＥＢＳ（スチレンエチレン／ブチレンスチレン）およびＳＥＥＰＳ（スチレンエチレン／エチレン−プロピレン−スチレン）からなる群より選択される請求項１９に記載の指間接およびひざプロテクター。
【発明の詳細な説明】
【技術分野】
【０００１】
本発明は、人体の接触を要するスポーツのための、手の先、指、指の関節、足の裏の保護する弾性材料からなる手のグローブ、足プロテクターまたは指関節プロテクターに関するものである。
【背景技術】
【０００２】
本発明は、スポーツ活動または仕事の現場において使用され得る保護用手のグローブまたは足プロテクターの分野に関するものである。スポーツにおいては、これら手および足のプロテクターはボクシングまたは格闘技に使用される。産業および仕事の環境においては、これらプロテクターは、すりむき、裂傷、まめ、および衝撃傷を防ぐために使用され得る。グローブは、着用者が練習用ターゲットまたは相手を打つ際に着用者の手を保護する。足プロテクターは、着用者が練習用ターゲットまたは相手を打つ際に着用者の足を保護する。
【０００３】
従来は、ボクシンググローブはパッド層を含んでいた。このパッド層は、ボクサーが練習用ターゲットまたは相手のボクサーを打つ際にボクサーの手に対する損傷を防ぐ保護クッションの役割をしている。パッド層は、ボクサーの相手方が打たれた際の損傷を防ぐためにも使用される。パッド層の量、種類および質は、ボクサーがバッグをパンチする間にボクサーの手の皮膚を単に保護するバッググローブの場合の小さい量から変化する。練習用グローブのより大きく厚いパッドの大きな量は、クッションを最大化し損傷を防ぐ。パッド層の構成は、典型的には、ポリフォーム、塩化ポリビニルの閉じたセルおよび開いたセルおよび馬の毛のような毛である。グローブの典型的な外側表面は、やわらかいが長持ちするビニルまたは皮である。
【０００４】
グローブのこれらのタイプは値段が高く、多くの練習用では、手の保護に良好な比較的値段の高いグローブが望まれている、一般的な指なしグローブは米国特許３，９９４，０２５および５，７８１，９２８号明細書に開示されている。ボクシング用グローブの例は米国特許５，７８１，９２８号明細書に開示されている。釣りのルアーを生成するスチレンブロックコポリマーと油の組合せを使用することが、２００６年３月１４日Ｍ．Ｓｈｅｌｔｏｎによって米国を指定国として出願された国際特許出願ＰＣＴ／ＵＳ０６／０８８７４に記載されている。
【特許文献１】米国特許３，９９４，０２５号明細書
【特許文献２】米国特許５，７８１，９２８号明細書
【発明の開示】
【発明が解決しようとする課題】
【０００５】
ボクシングのバックの練習においては、練習する人はしばしば手を保護のために包帯を巻く。これはまたは、格闘技においても、足と手を包帯で巻くことが行われている。この包帯巻きには時間がかかる。必要とされるのは、良好な保護ができ取り外しの容易な、弾力のある材料からなる保護用手のグローブまたは足カバーである。
【課題を解決するための手段】
【０００６】
本発明は、指とのかみあわせに適用される底に開口部を有する手袋を含む弾性体組成物からなる保護用ハンドグローブに関する。手袋は、スチレンブロックコポリマーおよび油からなる。スチレンブロックコポリマーおよび油はショアー硬度６以上を有する。
【０００７】
本発明は、また、足のかみ合わせに適用される先端に開口部を有するモカシンを含む弾性体組成物の足プロテクターにも関する。スチレンブロックコポリマーおよび油はショアー硬度６以上を有する。
【発明を実施するための最良の形態】
【０００８】
本発明は、弾性体組成物からなる保護用ハンドグローブ、足プロテクターまたは指間接プロテクターに関するものである。グローブは、着用者の手が相手または練習用の目標物と接触するボクシングまたは格闘技の練習のために使用される。保護用ハンドグローブは指のかみ合わせに適用される図２の裏２０に開口１５を有する図１の手袋１０からなる。１つの実施態様において、手袋１０は、先端２５、裏２０、閉じた指末端３０、開いた手首末端３５および親指のための開口部１５を有する。各グローブは右手または左手に適合する。
【０００９】
他の実施態様において、図４に示される指間接プロテクターが提供される。図４の指間接プロテクター４５は、手の指関節をカバーするように低号される第１部５０および前記第１部５０に付着される図５の第２部から構成される。指間接プロテクターは、第２部５５が手のひら上の高い位置にあり第１部が手の指間接および４つの指をカバーするのを確保するように適合される。指間接プロテクター４５が大きさを増加したとき、保護用ひざパッドとしてひざに当てがわられる。このプロテクターを足にはめて格闘技の練習用の打撃表面パッドを提供することができる。
【００１０】
他の実施態様において、弾性体材料からなる図７の保護用モカシン６０使用して足を保護することができる。このモカシン６０は上部６５および足が挿入される開口部７５を有する裏７０を有する。モカシン６０はヒールカバー８０を有するが、図９の実施態様９０に示されるように、ヒールカバー無しで構成されることもできる。このモカシンは裸足、ソックスと共に、または靴のカバーとして履くことができる。
【００１１】
本発明の１つの実施態様において、手袋１０の上部２５または指間接プロテクター４５の第１部５０は、裏２０または第２部５５より厚く構成することができる。この構成は、着用者の指間接をさらに保護することができる。また、モカシン６０は裏７０が足の保護のために追加のパッドを有するように設計されることもできる。
【００１２】
１つの実施態様における保護用ハンドグローブ、足プロテクターまたは指間接プロテクターは、スチレンブロックコポリマーと過剰な油との混合物からなることができる。これらの組成物は良好な断熱材としても働き、足および手を寒さの中でも温かく、暑さのなかでも涼しく保つことができる。これらのグローブは、着用者に十分な保護を与えつつ、通常のフォーム、馬の毛のパッドを使用したグローブより大きなエネルギーを意図した目標に伝える。さらに、このグローブ、指間接プロテクターおよび足プロテクターは、練習用にこれらの場所に適切に覆うのに要する時間より短い時間で装着または取り外すことができる。
【００１３】
この弾性体組成物は、スチレンブロックコポリマーと油の混合物であり得る。スチレンブロックコポリマーは熱可塑性弾性体である。この構造は、通常、中心にゴム相を有し、各末端に硬いスチレンブロックから構成される。スチレンブロックコポリマーは、これに限定されずに、ＳＢＳ（スチレンブタジエンスチレン）、ＳＩＳ（スチレン−イソプレン−スチレン）、ＳＥＰＳ（スチレンエチレン／プロピレンスチレン）、ＳＥＢＳ（スチレンエチレン／ブチレンスチレン）およびＳＥＥＰＳ（スチレンエチレン／エチレン−プロピレン−スチレン）を含む。
【００１４】
これらスチレンブロックコポリマーは、例えば、ＳＥＰＴＯＮ  Ｃｏｍｐａｎｙ  ｏｆ  Ａｍｅｒｉｃａ，Ｐａｓａｄｅｎａ，Ｔｅｘａｓ  ａｎｄ  Ｋｒａｔｏｎ  Ｐｏｌｙｍｅｒｓ，Ｈｏｕｓｔｏｎ,  Ｔｅｘａｓから市販されている。例示のＳＥＰＴＯＮ（米国）製品としては、ＳＥＰＴＯＮ４０５５（ＳＥＥＰＳ）、ＳＥＰＴＯＮ８００６（ＳＥＢＳ）、およびＳＥＰＴＯＮ２００６（ＳＥＰＳ）が挙げられる。例示のＫｒａｔｏｎ（米国）製品としては、ＫＲＡＴＯＮ１６５１（ＳＥＢＳ）が挙げられる。
【００１５】
この組成物のコポリマーは単一コポリマーまたはコポリマーの混合物を含むことができる。もし、単一コポリマーが使用されるならば、他の単一コポリマーも使用することができるが、ＳＥＢＳはよく機能する。コポリマーの混合物が使用されるならば、ＳＥＥＰＳおよびＳＥＰＳまたはＳＥＰＳ／ＳＥＢＳ混合物がよく機能する。ＳＥＢＳを有する弾性体組成物は、良好な弾性および破壊特性を提供するが、混合物は超弾性および破壊特性を提供することができる。この混合物において、ＳＥＥＰＳの１つの実施態様において、ＳＥＥＰＳは主要な構成要素であり得る。混合物の組成の例示的なコポリマー成分は、０〜２８％ＳＥＥＰＳ、０〜２８％ＳＥＢＳ，０〜２８％ＳＢＳおよび０〜２８％ＳＩＳである。
【００１６】
油は通常の油を意味する。油は、使用されるスチレンブロックコポリマーに対して過剰になるようにスチレンブロックコポリマーと混合される。使用される油は任意の粘度を有することができる。４０℃において、１〜１２０ｃＰｓの粘度を有する油の使用がこの応用において非常によく機能することが分かった。このような油は、例えば、Ｃｒｏｍｐｔｏｎ  Ｃｏｒｐｏｒａｔｉｏｎ  （Ｗｉｔｅｃｏ  Ｒｅｆｉｎｅｄ  Ｐｒｏｄｕｃｔｓ）、Ｇｒｅｅｎｗｉｃｈ，Ｃｏｎｎｅｃｔｃｕｉｔから市販されている。例示の油としては、ＢＡＮＤＯＬ白色鉱油およびＳＥＭＴＯＬ白色鉱油が挙げられる。それぞれ異なる粘度を有する２つの異なる油はスチレンコポリマー製品における粘性を減少させるために使用され得る。必要とされるのは、大きな粘度を有する油に対して低い粘度を有する油を過剰に使用することである。
【００１７】
これらの保護用ハンドグローブにおける弾性体組成物は破壊抵抗と弾性を有する必要がある。この組成物は、べとつくほどまたは簡単に変形されるほどやわらかくない。この弾性体組成物は相対的に柔軟であり、しかし装着者の手を強く保護しなければならない。１つの実施態様において、弾性体組成物はショアー硬度６以上を有する。本発明の他の実施態様において、弾性体組成物はショアー硬度１０以上を有する。本発明の他の実施態様において、弾性体組成物はショアー硬度１５以上を有する。本発明の他の実施態様において、弾性体組成物はショアー硬度２０以上を有する。これらの組成物はショアー硬度の上限が６０以上を有することができるが、通常、これらの組成物はショアー硬度の上限が３５以下を有する。ショアー硬度の範囲が２０ないし３５のスチレンブロックコポリマーがよく機能することが分かった。ショアー硬度が６ないし２０の範囲は非常によく機能する。ショアー硬度は、Ｄｕｒｏｍｅｔｅｒ、また、Ｄｏｒｍｅｔｅｒ  ｈｒｄｎｅｓｓとして知られる器具で測定される。硬度の値はＤｕｒｍｅｔｅｒの針の先を試料に貫通させることによって決められる。ゴムおよび弾性体の弾力のために、刻み目の読みは時間によって変化する、したがって、しばしば刻み時間が硬さ番号と共に報告されている。ＡＳＴＭ試験方法の指定は、ＡＳＴＭ  Ｄ２２４０  ００であり、通常、北米で使用されている。関連する方法としては、ＩＳＯ７６１９およびＩＳＯ８６８、ＤＩＮ５３５０５およびＪＩＳＫ６３０１が挙げられ、これはＪＩＳ Ｋ ６２５３によって補足されている。この試験から得られる結果はポリマーの多くの等級のきざみに対する相対的な抵抗の測定に有益である。
【００１８】
他の使用され得る添加物は他の従来の添加物である。このような添加物としては、ＵＶ安定剤、熱安定剤、顔料、染料などが挙げられる。熱安定剤または酸化防止剤の例としては、Ｅａｓｔｍａｎ  Ｃｈｅｍｉｃａｌ  Ｃｏｍｐａｎｙから市販されているＥｎｄｅｘ１６０炭化水素樹脂がある、ＵＶ安定剤の例は、Ｃｉｂａ  ｓｐｅｃｉａｌｔｉｅｓ  ｃｈｅｍｉｃａｌｓから市販されているＴｉｎｕｖｉｎがある。抗酸化剤の例としては、Ｃｉｂａ  ｓｐｅｃｉａｌｔｉｅｓ  ｃｈｅｍｉｃａｌｓから市販されているＩｒｉｇａｎｏｘ  ＨＰ２２１５ＦＦがある。
【００１９】
本発明の他の実施態様において、弾性体組成物はさらに着色剤を有することができる。着色剤は、成型体の着色に使用される顔料、染料、着色剤、マイカ、グリッターまたは他の類似の成分から生成することができる。
実施例
下記の表には、ショアー硬度の範囲が６ないし３１を有する弾性体組成物の組成の例が示されている。
【００２０】
【表１】
2008537025.tif 000003
【００２１】
【表２】
2008537025.tif 000004
【００２２】
【表３】
2008537025.tif 000005
【００２３】
例Ｊにおいては、油Ａ２１％が油Ｂ６２％、５％ＳＥＥＰＳおよび１７％ＳＥＢＳと混合されて、ショアー硬度１２．３を有する１８．１４Ｋｇの材料を形成した。この例においては、油Ａは油Ｂより高い粘度を有していた。
【図面の簡単な説明】
【００２４】
【図１】保護用ハンドグローブの正面図を示す。
【図２】保護用ハンドグローブの裏面図を示す。
【図３】図１の線３−３に沿って切り取られた保護用ハンドグローブの背面図を示す。
【図４】他の実施態様の保護用ハンドグローブの正面図を示す。
【図５】他の実施態様の保護用ハンドグローブの裏面図を示す。
【図６】図４の線３−３に沿って切り取られた保護用ハンドグローブの背面図を示す。
【図７】保護用足モカシンの側面図を示す。
【図８】保護用足モカシンの正面図を示す。
【図９】他の実施態様の保護用足モカシンの側面図を示す。
【符号の説明】
【００２５】
１０  手袋
１５  開口部
２０  裏面
２５  先端
３０  指末端
４５  指間接プロテクター
５０  第１部
５５  第２部
６０  保護用モカシン
６５  上部
７０  裏面
７５  開口部
８０  ヒールカバー
【図１】
2008537025.tif 000006
【図２】
2008537025.tif 000007
【図３】
2008537025.tif 000008
【図４】
2008537025.tif 000009
【図５】
2008537025.tif 000010
【図６】
2008537025.tif 000011
【図７】
2008537025.tif 000012
【図８】
2008537025.tif 000013
【図９】
2008537025.tif 000014
【国際調査報告】
2008537025.tif 000015